(57)【特許請求の範囲】
【請求項１】
パーソナルコンピュータからのＩＰ（Ｉｎｔｅｒｎｅｔ  Ｐｒｏｔｏｃｏｌ）網へのモデムを経由した接続要求を着信する交換機と、前記交換機に対して通信しながら呼制御を行うシグナリングゲートウェイと、リモートアクセスサーバを収容しかつ前記リモートアクセスサーバを介して前記シグナリングゲートウェイからの制御リンク経由の信号で前記交換機からの回線と前記ＩＰ網への回線との間にＩＰパスを設定するメディアゲートウェイとからなるシステムにおいて、通信履歴を収集したいリモートアクセスサーバを選択して当該リモートアクセスサーバの通信履歴収集プロセスを起動することで通信ログの収集及び表示を行う非常駐個別通信ログ収集手段を含むメディアゲートウェイ用管理装置であって、
前記シグナリングゲートウェイが、前記交換機からの回線とのパスを前記リモートアクセスサーバのどれに設定するかを前記メディアゲートウェイ全体として定義された論理チャネル番号によって行うようにし、
前記非常駐個別通信ログ収集手段を制御して前記メディアゲートウェイに収容されるリモートアクセスサーバ全体に対してログ収集操作を行う手段を有することを特徴とするメディアゲートウェイ用管理装置。
【請求項２】
前記パーソナルコンピュータからの接続要求は、少なくともアナログ回線とＩＳＤＮ（Ｉｎｔｅｇｒａｔｅｄ  Ｓｅｒｖｉｃｅｓ  Ｄｉｇｉｔａｌ  Ｎｅｔｗｏｒｋ）回線とＰＩＡＦＳ［ＰＨＳ（Ｐｅｒｓｏｎａｌ  Ｈａｎｄｙｐｈｏｎｅ  Ｓｙｓｔｅｍ）  Ｉｎｔｅｒｎｅｔ  Ａｃｃｅｓｓ  Ｆｏｒｕｍ  Ｓｔａｎｄａｒｄ］回線とのうちのいずれかを経由して前記交換機に着信するようにしたことを特徴とする請求項１記載のメディアゲートウェイ用管理装置。
【請求項３】
前記ログ収集操作を行う手段は、少なくとも前記リモートアクセスサーバの収容枚数を含む情報を記憶する情報蓄積手段を含み、前記情報蓄積手段に記憶された情報を基に前記非常駐個別通信ログ収集手段を順次制御して前記ログ収集操作を行うことを特徴とする請求項１または請求項２記載のメディアゲートウェイ用管理装置。
【請求項４】
パーソナルコンピュータからのＩＰ（Ｉｎｔｅｒｎｅｔ  Ｐｒｏｔｏｃｏｌ）網へのモデムを経由した接続要求を着信する交換機と、前記交換機に対して通信しながら呼制御を行うシグナリングゲートウェイと、リモートアクセスサーバを収容しかつ前記リモートアクセスサーバを介して前記シグナリングゲートウェイからの制御リンク経由の信号で前記交換機からの回線と前記ＩＰ網への回線との間にＩＰパスを設定するメディアゲートウェイとからなるシステムにおいて、通信履歴を収集したいリモートアクセスサーバを選択して当該リモートアクセスサーバの通信履歴収集プロセスを起動することで通信ログの収集及び表示を行う非常駐個別通信ログ収集手段を含むメディアゲートウェイ用管理装置に用いられる通信ログ一括収集方法であって、
前記シグナリングゲートウェイが、前記交換機からの回線とのパスを前記リモートアクセスサーバのどれに設定するかを前記メディアゲートウェイ全体として定義された論理チャネル番号によって行うようにし、
前記メディアゲートウェイ用管理装置が、前記非常駐個別通信ログ収集手段を制御して前記メディアゲートウェイに収容されるリモートアクセスサーバ全体に対してログ収集操作を行うステップを実行することを特徴とする通信ログ一括収集方法。
【請求項５】
前記パーソナルコンピュータからの接続要求は、少なくともアナログ回線とＩＳＤＮ（Ｉｎｔｅｇｒａｔｅｄ  Ｓｅｒｖｉｃｅｓ  Ｄｉｇｉｔａｌ  Ｎｅｔｗｏｒｋ）回線とＰＩＡＦＳ［ＰＨＳ（Ｐｅｒｓｏｎａｌ  Ｈａｎｄｙｐｈｏｎｅ  Ｓｙｓｔｅｍ）  Ｉｎｔｅｒｎｅｔ  Ａｃｃｅｓｓ  Ｆｏｒｕｍ  Ｓｔａｎｄａｒｄ］回線とのうちのいずれかを経由して前記交換機に着信するようにしたことを特徴とする請求項４記載の通信ログ一括収集方法。
【請求項６】
前記ログ収集操作を行うステップは、少なくとも前記リモートアクセスサーバの収容枚数を含む情報を記憶する情報蓄積手段の情報を基に前記非常駐個別通信ログ収集手段を順次制御して前記ログ収集操作を行うことを特徴とする請求項４または請求項５記載の通信ログ一括収集方法。
【発明の詳細な説明】
【０００１】
【発明の属する技術分野】
本発明はメディアゲートウェイ用管理装置及びそれに用いる通信ログ一括収集方法に関し、特にＩＰ（Ｉｎｔｅｒｎｅｔ  Ｐｒｏｔｏｃｏｌ）ゲートウェイ網においてメディアゲートウェイ用管理装置での非常駐型プロセスを用いた通信ログ一括表示方法に関する。
【０００２】
【従来の技術】
従来、メディアゲートウェイ用管理装置（ＭＧＯＰＳ）においては、メディアゲートウェイ（ＭＧ：Ｍｅｄｉａ  Ｇａｔｅｗａｙ）との関係のみに注目すると、図４に示すようなプロセスが配置されている。
【０００３】
メディアゲートウェイ用管理装置６の非常駐個別通信ログ収集部（プロセス）６１はそれぞれのリモートアクセスサーバ［ＲＡＳ（Ｒｅｍｏｔｅ  Ａｃｃｅｓｓ  Ｓｅｒｖｅｒ）  Ａ〜Ｃ］２１〜２３とのＳＮＭＰ（Ｓｉｍｐｌｅ  Ｎｅｔｗｏｒｋ  Ｍａｎａｇｅｍｅｎｔ  Ｐｒｏｔｏｃｏｌ）通信を行うＳＮＭＰ通信部６１１と、通信ログ収集のためのシナリオを実行する収集実行部６１２と、このシナリオに対してデータの入力及び出力を行うＧＵＩ（Ｇｒａｐｈｉｃａｌ  Ｕｓｅｒ  Ｉｎｔｅｒｆａｃｅ）表示部６１３とからなっている。また、メディアゲートウェイ用管理装置６はこの非常駐個別通信ログ収集部６１を起動するための実行管理部６２を有している。
【０００４】
従来、これらの通信履歴はメディアゲートウェイ用管理装置６のＧＵＩ表示部６１３からの管理操作において、通信履歴を収集したいリモートアクセスサーバ２１〜２３のカードを選択することによって、このリモートアクセスサーバ２１〜２３の通信履歴収集プロセスを起動するという手順が一般的である。
【０００５】
【発明が解決しようとする課題】
しかしながら、上述した従来のメディアゲートウェイ用管理装置では、通信履歴収集プロセスを起動する手順の場合、指定したリモートアクセスサーバに終端するＩＰ呼からの発信履歴しか収集することができない。そのため、特定加入者番号、ＩＰアドレスを持つＰＣ（パーソナルコンピュータ）からの発信履歴を調査する場合には、保守者がこの特定ＰＣを特定する番号を確認することができるまで、上記の操作を実装されたリモートアクセスサーバのカード分繰り返して実行する必要がある。
【０００６】
一方、上記の方法では、すべてのリモートアクセスサーバに関する状態を一括してメディアゲートウェイ用管理装置の中に持つ方法に比べて、同時には１枚のリモートアクセスサーバに対する実行しかせず、消費するメモリ量やトランザクション総量が少ないため、対象となる監視対象数を多く設定することができるという利点がある。
【０００７】
そこで、本発明の目的は上記の問題点を解消し、消費するメモリ量やトランザクション総量の増加を招くことなく、ＩＰ通信状況を一括して管理することができるメディアゲートウェイ用管理装置及びそれに用いる通信ログ一括収集方法を提供することにある。
【０００８】
【課題を解決するための手段】
本発明によるメディアゲートウェイ用管理装置は、パーソナルコンピュータからのＩＰ（Ｉｎｔｅｒｎｅｔ  Ｐｒｏｔｏｃｏｌ）網へのモデムを経由した接続要求を着信する交換機と、前記交換機に対して通信しながら呼制御を行うシグナリングゲートウェイと、リモートアクセスサーバを収容しかつ前記リモートアクセスサーバを介して前記シグナリングゲートウェイからの制御リンク経由の信号で前記交換機からの回線と前記ＩＰ網への回線との間にＩＰパスを設定するメディアゲートウェイとからなるシステムにおいて、通信履歴を収集したいリモートアクセスサーバを選択して当該リモートアクセスサーバの通信履歴収集プロセスを起動することで通信ログの収集及び表示を行う非常駐個別通信ログ収集手段を含むメディアゲートウェイ用管理装置であって、
前記シグナリングゲートウェイが、前記交換機からの回線とのパスを前記リモートアクセスサーバのどれに設定するかを前記メディアゲートウェイ全体として定義された論理チャネル番号によって行うようにし、
前記非常駐個別通信ログ収集手段を制御して前記メディアゲートウェイに収容されるリモートアクセスサーバ全体に対してログ収集操作を行う手段を備えている。
【０００９】
本発明による通信ログ一括収集方法は、パーソナルコンピュータからのＩＰ（Ｉｎｔｅｒｎｅｔ  Ｐｒｏｔｏｃｏｌ）網へのモデムを経由した接続要求を着信する交換機と、前記交換機に対して通信しながら呼制御を行うシグナリングゲートウェイと、リモートアクセスサーバを収容しかつ前記リモートアクセスサーバを介して前記シグナリングゲートウェイからの制御リンク経由の信号で前記交換機からの回線と前記ＩＰ網への回線との間にＩＰパスを設定するメディアゲートウェイとからなるシステムにおいて、通信履歴を収集したいリモートアクセスサーバを選択して当該リモートアクセスサーバの通信履歴収集プロセスを起動することで通信ログの収集及び表示を行う非常駐個別通信ログ収集手段を含むメディアゲートウェイ用管理装置に用いられる通信ログ一括収集方法であって、
前記シグナリングゲートウェイが、前記交換機からの回線とのパスを前記リモートアクセスサーバのどれに設定するかを前記メディアゲートウェイ全体として定義された論理チャネル番号によって行うようにし、
前記メディアゲートウェイ用管理装置が、前記非常駐個別通信ログ収集手段を制御して前記メディアゲートウェイに収容されるリモートアクセスサーバ全体に対してログ収集操作を行うステップを実行している。
【００１０】
すなわち、本発明の通信ログ一括表示方法は、ＰＣ（パーソナルコンピュータ）からのＩＰ（Ｉｎｔｅｒｎｅｔ  Ｐｒｏｔｏｃｏｌ）網へのモデムを経由した接続要求をアナログ回線やＩＳＤＮ（Ｉｎｔｅｇｒａｔｅｄ  ＳｅｒｖｉｃｅｓＤｉｇｉｔａｌ  Ｎｅｔｗｏｒｋ）回線、またはＰＩＡＦＳ［ＰＨＳ（Ｐｅｒｓｏｎａｌ  Ｈａｎｄｙｐｈｏｎｅ  Ｓｙｓｔｅｍ）  Ｉｎｔｅｒｎｅｔ  Ａｃｃｅｓｓ  Ｆｏｒｕｍ  Ｓｔａｎｄａｒｄ］回線を経由して交換機に着信し、交換機にＮｏ．７リンクで通信しながら呼制御を行うシグナリングゲートウェイ（ＳＧ：Ｓｉｇｎａｌｉｎｇ  Ｇａｔｅｗａｙ）と、シグナリングゲートウェイからの制御リンク経由の信号で、交換機からの回線とＩＰ網への回線との間にＩＰパスを設定するメディアゲートウェイ（ＭＧ：Ｍｅｄｉａ  Ｇａｔｅｗａｙ）と、メディアゲートウェイの管理を行うメディアゲートウェイ用管理装置（ＭＧＯＰＳ）とからなるＩＰゲートウェイ網において、メディアゲートウェイ用管理装置での非常駐型プロセスを用いた通信ログ一括表示方法に関する。
【００１１】
より具体的に説明すると、本発明の通信ログ一括表示方法では、交換機にＮｏ．７リンクで通信しながら呼制御を行うシグナリングゲートウェイが、制御リンク経由の要求信号で、メディアゲートウェイに対して、交換機からの回線とのパスを、ＩＰ網への回線にむかうリモートアクセスサーバ［ＲＡＳ（ＲｅｍｏｔｅＡｃｃｅｓｓ  Ｓｅｒｖｅｒ）］のどれに設定するかを、メディアゲートウェイ全体として定義された論理チャネル番号によって行う。
【００１２】
これによって、ＩＰ網へのＩＰ接続を行うようなＩＰゲートウェイ網に対して、ＰＣからのメディアゲートウェイでのＩＰ通信状況を、その管理を行うメディアゲートウェイ用管理装置において一括して管理することが可能となる。また、本発明の通信ログ一括表示方法では、メディアゲートウェイ用管理装置に定義されるリモートアクセスサーバに関連した他の管理操作に対しても、上記と同様にして適用することが可能である。
【００１３】
【発明の実施の形態】
次に、本発明の実施例について図面を参照して説明する。図１は本発明の一実施例によるＩＰ（Ｉｎｔｅｒｎｅｔ  Ｐｒｏｔｏｃｏｌ）ゲートウェイ網の構成を示すブロック図である。図１において、本発明の一実施例によるＩＰゲートウェイ網においては、ＰＣ４からのＩＰ網１０１〜１０３への接続要求が回線１１１［アナログ回線やＩＳＤＮ（Ｉｎｔｅｇｒａｔｅｄ  Ｓｅｒｖｉｃｅｓ  Ｄｉｇｉｔａｌ  Ｎｅｔｗｏｒｋ）回線、またはＰＩＡＦＳ［ＰＨＳ（Ｐｅｒｓｏｎａｌ  Ｈａｎｄｙｐｈｏｎｅ  Ｓｙｓｔｅｍ）  Ｉｎｔｅｒｎｅｔ  Ａｃｃｅｓｓ  Ｆｏｒｕｍ  Ｓｔａｎｄａｒｄ］回線］を経由して交換機３に着信する。
【００１４】
交換機３にＮｏ．７リンク１１２で通信しながら呼制御を行うシグナリングゲートウェイ（ＳＧ：Ｓｉｇｎａｌｉｎｇ  Ｇａｔｅｗａｙ）５は、制御リンク１１４経由の要求信号で、メディアゲートウェイ２に対して、交換機３からの回線１１３とのパスを、ＩＰ網１０１〜１０３への回線１１５〜１１７へむかうリモートアクセスサーバ［ＲＡＳ（Ｒｅｍｏｔｅ  Ａｃｃｅｓｓ  Ｓｅｒｖｅｒ）  Ａ〜Ｃ］２１〜２３のどれに設定するかを、メディアゲートウェイ２全体として定義された論理チャネル番号によって行う。
【００１５】
これによって、ＩＰ網１０１〜１０３へのＩＰ接続が完了する。本実施例では３枚のリモートアクセスサーバ２１〜２３の場合を例にしているが、一般的にはメディアゲートウェイ２に複数のリモートアクセスサーバが収容される。
【００１６】
一方、メディアゲートウェイ用管理装置（ＭＧＯＰＳ）１はメディアゲートウェイ２の中に収容されるそれぞれのリモートアクセスサーバ（ＲＡＳ  Ａ〜Ｃ）２１〜２３に対して、制御回線１１８を経由して多対１のＳＮＭＰ（Ｓｉｍｐｌｅ  Ｎｅｔｗｏｒｋ  Ｍａｎａｇｅｍｅｎｔ  Ｐｒｏｔｏｃｏｌ）通信を行うことによって管理制御している。
【００１７】
図２は図１のメディアゲートウェイ２とメディアゲートウェイ用管理装置１との関係のみに注目してメディアゲートウェイ用管理装置１上に配置されるプロセスの関係を示すブロック図である。図２において、メディアゲートウェイ用管理装置１は実行管理部１１と、非常駐全体通信ログ収集部１２と、非常駐個別通信ログ収集部１３とから構成されている。
【００１８】
非常駐個別通信ログ収集部１３はそれぞれのリモートアクセスサーバ（ＲＡＳＡ〜Ｃ）２１〜２３とのＳＮＭＰ通信を行うＳＮＭＰ通信部１３１と、通信ログ収集のためのシナリオを実行する収集実行部１３２と、新たな非常駐プロセスとの通信を行う非常駐通信部１３４と、収集実行部１３２のシナリオに対してデータの入力及び出力を行うＧＵＩ（Ｇｒａｐｈｉｃａｌ  Ｕｓｅｒ  Ｉｎｔｅｒｆａｃｅ）表示部１３３とから構成されている。
【００１９】
非常駐全体通信ログ収集部１２は全体ログ収集のためのシナリオを実行する収集実行部１２１と、リモートアクセスサーバ（ＲＡＳ  Ａ〜Ｃ）２１〜２３の収容枚数等の情報を記憶するＲＡＳ情報蓄積部１２２と、非常駐個別通信ログ収集部１３の非常駐通信部１３４を経由して収集実行部１３１を起動する非常駐通信部１２４と、非常駐全体ログに対してデータの入力及び出力を行うＧＵＩ表示部１２３とから構成され、メディアゲートウェイ２に収容されるリモートアクセスサーバ（ＲＡＳ  Ａ〜Ｃ）２１〜２３全体に対してログ収集操作の制御を行う。
【００２０】
実行管理部１１は非常駐全体通信ログ収集部１２と非常駐個別通信ログ収集部１３とのうちのどちらを起動するかを選択する。
【００２１】
図３は図２のメディアゲートウェイ用管理装置１の動作を示すフローチャートである。これら図１〜図３を参照してメディアゲートウェイ用管理装置１の動作について説明する。
【００２２】
メディアゲートウェイ用管理装置１の実行管理部１１を経由してリモートアクセスサーバ（ＲＡＳ  Ａ〜Ｃ）２１〜２３全体に対してログ収集操作の制御を行う非常駐全体通信ログ収集部１２が起動されると、非常駐全体通信ログ収集部１２は特定加入者を特定することができるような検索キー、例えば発側電話番号や発側ＩＰアドレス等の入力画面を表示し、保守者にその入力を促す（図３ステップＳ１）。
【００２３】
保守者がこれらの入力を終了すると（図３ステップＳ２）、非常駐全体通信ログ収集部１２の収集実行部１２１は予めＲＡＳ情報蓄積部１２２に設定されたＲＡＳ収容情報を基にリモートアクセスサーバ（ＲＡＳ  Ａ〜Ｃ）２１〜２３に対するループ必要回数を初期化する（このケースでは３回）（図３ステップＳ３，Ｓ４）。
【００２４】
その後、このループ回数に対応したリモートアクセスサーバ（ＲＡＳ  Ａ〜Ｃ）２１〜２３に対する既存の非常駐個別通信ログ収集部１３を起動し（図３ステップＳ５）、非常駐全体通信ログ収集部１２と非常駐個別通信ログ収集部１３との間に通信パスを設定して通信可能状態とし、このプロセスを起動して実行することで指定されたＲＡＳカードに対応した通信ログの収集を行い、その結果をＲＡＳ情報蓄積部１２２に格納するとともに（図３ステップＳ６）、この非常駐個別通信ログ収集部１３を一旦終了する（図３ステップＳ７）。
【００２５】
収集実行部１２１はその後に収集されたログの中に、起動時に入力された検索キー、例えば発側電話番号や発側ＩＰアドレス等にマッチするものかを確認し（図３ステップＳ８）、マッチしなければ（図３ステップＳ９）、次のＲＡＳ処理へと継続し（図３ステップＳ１０）、これを実装ＲＡＳがなくなるまで、あるいは条件にマッチするログを発見するまで行う（図３ステップＳ５〜Ｓ１１）。
【００２６】
収集実行部１２１はマッチすれば（図３ステップＳ９）、結果の書式を整え、検索キーと一緒にＧＵＩ表示部１２３に表示する（図３ステップＳ１２）。全ての実装ＲＡＳがなくなると（図３ステップＳ１１）、非常駐全体通信ログ収集部１２のプロセスを終了する（図３ステップＳ１３）。
【００２７】
このように、従来技術の利点である監視対象数の増加に対するメディアゲートウェイ用管理装置１の中でのトランザクション総量の少なさの利点を生かしながら、同時にＰＣ４からのＩＰ網１０１〜１０３への接続要求を回線１１１を経由して交換機３に着信し、交換機３にＮｏ．７リンク１１２で通信しながら呼制御を行うシグナリングゲートウェイ５が、制御リンク１１４経由の要求信号で、メディアゲートウェイ２に対して交換機３からの回線１１３とのパスを、ＩＰ網１０１〜１０３への回線１１５〜１１７へむかうリモートアクセスサーバ（ＲＡＳＡ〜Ｃ）２１〜２３のどれに設定するかを、メディアゲートウェイ２全体として定義された論理チャネル番号で行うことによって、ＩＰ網１０１〜１０３へのＩＰ接続を行うようなＩＰゲートウェイ網に対して、ＰＣ４からのメディアゲートウェイ２でのＩＰ通信状況を、その管理を行うメディアゲートウェイ用管理装置１において一括して管理することができる。
【００２８】
また、本実施例ではメディアゲートウェイ用管理装置１に定義されるリモートアクセスサーバ（ＲＡＳ  Ａ〜Ｃ）２１〜２３に関連した他の管理操作に対しても、上記と同様にして、適用することができる。
【００２９】
【発明の効果】
以上説明したように本発明は、パーソナルコンピュータからのＩＰ網へのモデムを経由した接続要求を着信する交換機と、交換機に対して通信しながら呼制御を行うシグナリングゲートウェイと、シグナリングゲートウェイからの制御リンク経由の信号で交換機からの回線とＩＰ網への回線との間にＩＰパスを設定するメディアゲートウェイと、メディアゲートウェイの管理を行うメディアゲートウェイ用管理装置とからなるＩＰゲートウェイ網において、メディアゲートウェイに収容されるリモートアクセスサーバ全体に対してログ収集操作の制御を行うことによって、消費するメモリ量やトランザクション総量の増加を招くことなく、ＩＰ通信状況を一括して管理することができるという効果が得られる。
【図面の簡単な説明】
【図１】本発明の一実施例によるＩＰゲートウェイ網の構成を示すブロック図である。
【図２】図１のメディアゲートウェイとメディアゲートウェイ用管理装置との関係のみに注目してメディアゲートウェイ用管理装置上に配置されるプロセスの関係を示すブロック図である。
【図３】図２のメディアゲートウェイ用管理装置の動作を示すフローチャートである。
【図４】従来のメディアゲートウェイとメディアゲートウェイ用管理装置との関係のみに注目してメディアゲートウェイ用管理装置上に配置されるプロセスの関係を示すブロック図である。
【符号の説明】
１  メディアゲートウェイ用管理装置
２  メディアゲートウェイ
３  交換機
４  パーソナルコンピュータ
５  シグナリングゲートウェイ
１１  実行管理部
１２  非常駐全体通信ログ収集部
１３  非常駐個別通信ログ収集部
２１〜２３  リモートアクセスサーバ
１０１〜１０３  ＩＰ網
１１１，１１３，
１１５〜１１７  回線
１１２  Ｎｏ．７リンク
１１４  制御リンク
１１８  制御回線
１２１，１３２  収集実行部
１２２  ＲＡＳ情報蓄積部
１２３，１３３  ＧＵＩ表示部
１２４，１３４  非常駐通信部
１３１  ＳＮＭＰ通信部
【図１】
0003640181.tif 000002
【図２】
0003640181.tif 000003
【図３】
0003640181.tif 000004
【図４】
0003640181.tif 000005